(57)【特許請求の範囲】
【請求項１】
プリント基板(1)に、支持台(2)を介して接点バネ(3)を装着してなる接点構造において、
接点バネ(3)が、自由端(3A)をプリント基板(1)から離れる方向に弾性変形するように支持台(2)に装着されており、
支持台(2)は、接点バネ(3)の自由端(3A)を上下に移動できる貫通孔(2B)と、自由端(3A)を案内する摺動溝(4)およびガイド溝(5)を有し、摺動溝(4)は下方を開口して上方を閉塞しており、ガイド溝(5)は上下の両端を開口しており、
プリント基板(1)に、支持台(2)を装着する前の状態において、接点バネ(3)の自由端(3A)を、ガイド溝(5)から摺動溝(4)に案内できる構造として、
プリント基板(1)に、支持台(2)を装着した状態において、摺動溝(4)に接点バネ(3)の自由端(3A)を案内する状態で、摺動溝(4)の下方開口部をプリント基板(1)で閉塞して、自由端(3A)が摺動溝(4)からでないように構成してなることを特徴とする電池用の接点構造。
【請求項２】
接点バネ(3)が、コイル状に巻かれたループ部(3B)を中間に有すると共に、支持台(2)には、接点バネ(3)のループ部(3B)を装着する装着部(15)を設け、接点バネ(3)のループ部(3B)を装着部(15)に装着して、接点バネ(3)が支持台(2)の定位置に装着されてなる請求項１に記載される電池用の接点構造。
【請求項３】
接点バネ(3)が、自由端(3A)の反対側の端部をプリント基板(1)に固定している請求項１に記載される電池用の接点構造。
【発明の詳細な説明】
【０００１】
【発明の属する技術分野】
本発明は、主として、充電器等に使用される電池用の接点構造に関する。
【０００２】
【従来の技術】
電池に弾性的に押圧される接点は、接触不良を少なくできる。このことを実現する接点構造として、接点バネの一端を自由端とし、この自由端を弾性的に電池に押圧する構造が採用される。図１に示す接点構造は、接点バネ３の先端に設けた自由端３Ａを、弾性的に上方に押し出しできる構造としている。自由端３Ａは、支持台２から飛び出さないように、支持台２に設けた摺動溝４に挿入している。自由端３Ａは、摺動溝４に沿って移動して、電池に弾性的に押圧される状態で接触する。接点バネ３は、自由端３Ａを弾性的に上方に移動させるために、中間をコイル状に巻いて、ここに支持台２の中心軸を挿入している。さらに、接点バネ３の自由端３Ａの反対側の端部は、プリント基板に半田付け等の方法で固定している。
【０００３】
【発明が解決しようとする課題】
図１に示す接点構造は、接点バネ３の自由端３Ａを、大きなストロークで電池に向かって移動できる。このため、接触不良を少なくできる特長がある。しかしながら、この構造の接点バネ３は、自由端３Ａを摺動溝４に挿入するときに、接点バネ３を弓なりに曲げて変形させる必要があり、このときに、接点バネ３が変形してしまう欠点がある。変形した接点バネは、自由端を摺動溝に案内した後に、修正する必要がある。しかしながら、自由端を摺動溝に入れた後は、接点バネの修正が極めて難しい。治具を使用して曲がった接点バネを修正できないからである。手で接点バネを修正すると、修正した後の形状を一定にできない。このため、接点バネが電池に接触する状態を均一にできず、接触不良等の原因となる。
【０００４】
本発明は、このような欠点を解決することを目的に開発されたものである。本発明の重要な目的は、接点バネの自由端を、簡単かつ容易に、しかも迅速に摺動溝に案内できる電池用の接点構造を提供することにある。
【０００５】
さらに、本発明の他の大切な目的は、自由端を摺動溝に案内した状態で、接点バネの変形を極減して、接触不良を少なくできる電池用の接点構造を提供することにある。
【０００６】
【課題を解決するための手段】
本発明の電池用の接点構造は、プリント基板１に、支持台２を介して接点バネ３を装着している構造を改良したものである。本発明の請求項１の接点構造は、接点バネ３を、自由端３Ａが、プリント基板１から離れる方向に弾性変形するように支持台２に装着している。
【０００７】
支持台２は、接点バネ３の自由端３Ａを上下に移動できる貫通孔２Ｂと、自由端３Ａを案内できる摺動溝４とガイド溝５を有する。摺動溝４は下方を開口して上方を閉塞しており、ガイド溝５は、上下の両端を開口している。プリント基板１に、支持台２を装着する前の状態において、接点バネ３の自由端３Ａを、ガイド溝５から摺動溝４に案内できる構造としている。
【０００８】
プリント基板１に、支持台２を装着した状態において、摺動溝４に、接点バネ３の自由端３Ａを案内する状態として、摺動溝４の下方開口部をプリント基板１で閉塞して、接点バネ３の自由端３Ａが摺動溝４からでない構造としている。
【０００９】
本発明の請求項２の接点構造は、接点バネ３の一部をコイル状に巻してループ部３Ｂとしている。支持台２は、接点バネ３のループ部３Ｂを装着する装着部１５を有する。接点バネ３は、ループ部３Ｂを装着部１５に装着して、支持台２の定位置に装着されている。
【００１０】
本発明の請求項３の接点構造は、接点バネ３が、自由端３Ａの反対側の端部で、プリント基板１に、半田付け等の構造で固定される。
【００１１】
【発明の実施の形態】
以下、本発明の実施例を図面に基づいて説明する。ただし、以下に示す実施例は、本発明の技術思想を具体化するための電池用の接点構造を例示するものであって、本発明は接点構造を以下のものに特定しない。
【００１２】
さらに、この明細書は、特許請求の範囲を理解しやすいように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１３】
図２に示す電池用の接点構造は、プリント基板１に、支持台２を介して接点バネ３を装着している。プリント基板１は、支持台２を連結する連結孔６と、接点バネ３の一端を貫通させて固定する固定孔７とを有する。さらに、プリント基板１は、図示しないが、接点バネ３に接続される電子回路を実現する電子部品を固定している。
【００１４】
図のプリント基板１は、ふたつの連結孔６を開口している。連結孔６は方形状で、支持台２に一体成形しているフック８を挿入して連結する。
【００１５】
支持台２は、全体をプラスチックで一体成形して製作される。図に示す支持台２は、全体を細長い形状に成形すると共に、底面を平面状に成形し、さらに、両端部には、下方に突出するフック８を一体成形して設けている。フック８は、プリント基板１の連結孔６に挿入されて、支持台２をプリント基板１に仮止めして連結する。フック８は、連結孔６に係止できるように、アンダーカット状に成形されている。さらに、フック８は、プリント基板１の連結孔６に挿入されるときに弾性変形するように、弾性変形できる太さのプラスチックで成形されている。
フック８を弾性変形させて、プリント基板１の連結孔６に挿入すると、フック８のアンダカット部がフック８の裏面に係止されて、支持台２はプリント基板１に仮止めして連結される。この構造の支持台２は、接点バネ３を装着して、プリント基板１の定位置に簡単に装着できる特長がある。
【００１６】
支持台２は、３本の接点バネ３を装着している。ふたつの接点バネ３は、支持台２の両端に装着され、ひとつの接点バネ３は支持台２の中央に装着される。この図に示す支持台２は、図３に示すように、充電器９のケース１０に内蔵されて、３本の接点バネ３を、充電器９に装着されるパック電池１１の端子１２に接続する。
【００１７】
支持台２は、両端の接点バネ３を装着するために、両端部には上方に突出する筒体２Ａを一体成形している。筒体２Ａは、上下の両端を開口し、さらに、内側にスリット１３を設けている。筒体２Ａの上部には、両端に配設している接点バネ３のループ部３Ｂを載せる載台１４を一体成形している。
【００１８】
さらに、支持台２は、中央の接点バネ３を装着するために、中央部に貫通孔２Ｂを開口している。貫通孔２Ｂは、平面形状を長方形としている。長方形の貫通孔２Ｂは、一端部に、中央の接点バネ３のループ部３Ｂを保持する装着部１５を設けている。装着部１５の反対側の端部の側面には、ガイド溝５と摺動溝４を上下に延長して平行に設けている。
【００１９】
装着部１５は、中央の接点バネ３のループ部３Ｂを保持して、接点バネ３を定位置に装着する部分で、その幅を、接点バネ３のループ部３Ｂの幅にほぼ等しくしている。さらに、装着部１５の底面には、図３の断面図に示すように、ループ部３Ｂを保持する、断面形状をＬ字状とする底板１６を一体成形している。中央の接点バネ３は、ループ部３ＢをＬ字状の底板１６に載置して、支持台２の定位置に装着される。
【００２０】
支持台２の装着部１５に装着された中央の接点バネ３は、ループ部３Ｂから下方に延長される端部を、プリント基板１の固定孔７に貫通させて、プリント基板１に半田付して固定される。この状態で、中央の接点バネ３は支持台２の定位置に固定される。
【００２１】
中央の接点バネ３は、中間を複数回コイル状に巻いてループ部３Ｂとし、このループ部３Ｂから下方に延長される部分をプリント基板１に固定し、ループ部３Ｂから水平に伸びる部分を弾性変形する自由端３Ａとしている。この接点バネ３は、自由端３Ａが、プリント基板１から離れる方向に弾性変形するように付勢されている。自由端３Ａは、中間を山型に折曲しており、この折曲部を支持台２の上面から突出させている。自由端３Ａは、突出する折曲部で、パック電池１１の端子１２を弾性的に押圧して接続される。
【００２２】
ガイド溝５は、支持台２の中央に装着された接点バネ３の自由端３Ａを、摺動溝４に案内する。ガイド溝５は、図４の拡大図に示すように、上下の両端を開口して、いいかえると、支持台２を貫通して設けられている。ガイド溝５は、接点バネ３の自由端３Ａの先端部が通過できる溝幅と深さを有する。ガイド溝５は、図の鎖線で示すように、上方の開口部から自由端３Ａが挿入される。ガイド溝５に挿入される自由端３Ａは、貫通孔２Ｂ内で下方に弾性変形されて、図の矢印で示すように、ガイド溝５を通過して下方の開口部から支持台２の下側に押し出される。ガイド溝５を通過した自由端３Ａは、隣接する摺動溝４に案内される。
【００２３】
摺動溝４は、下方を開口して上方を閉塞している。摺動溝４は、接点バネ３の自由端３Ａの先端部を挿入できる溝幅と深さを有する。摺動溝４は、下方の開口部から、ガイド溝５を通過した自由端３Ａの先端部が挿入される。摺動溝４に挿入された自由端３Ａは、摺動溝４内を上方に移動する。さらに、自由端３Ａは、上方に弾性変形するように付勢されているので、摺動溝４の閉塞された上面に当接して、上方への移動が抑制されて定位置に保持される。
【００２４】
中央の接点バネ３が定位置に装着された支持台２は、図２に示すように、プリント基板１に連結される。プリント基板１に装着される支持台２は、図３に示すように、摺動溝４の下方開口部がプリント基板１で閉塞される。摺動溝４は、４方向が囲まれた状態となって、接点バネ３の自由端３Ａが摺動溝４から抜け出るのを阻止する。自由端３Ａは、摺動溝４から抜け出ることなく、摺動溝４に沿って上下に安定して移動する。
【００２５】
プリント基板１に支持台２が装着されると、接点バネ３は、図３に示すように、ループ部３Ｂから下方に延長される端部が、プリント基板１に半田付けされて定位置に固定される。３本の接点バネ３は、それぞれの端部がプリント基板１に半田付けされて、プリント基板１に実装される電子部品（図示せず）に電気接続される。
【００２６】
さらに、３本の接点バネ３は、装着されるパック電池１１に電気接続される。接点バネ３は、パック電池１１の端子１２を弾性的に押圧する状態で接触して接続される。これらの接点バネ３は、たとえば、支持台２の両端に位置する接点バネ３が、装着されるパック電池１１の＋−の電極端子に接続されて、中央の接点バネ３が、制御端子に接続される。
【００２７】
本発明の接点構造は、以下のようにして、プリント基板に支持台を介して接点バネを装着する。
(1)  支持台２の中央に接点バネ３を装着する。中央の接点バネ３は、支持台２をプリント基板１に連結しない状態で装着される。この接点バネ３は、ループ部３Ｂが装着部１５に保持されて所定の位置に装着される。
【００２８】
(2)  中央の接点バネ３の自由端３Ａを、支持台２の貫通孔２Ｂ内で上下方向に弾性変形させて、摺動溝４に案内する。接点バネ３の自由端３Ａは、図４の矢印で示すように、支持台２の上方からガイド溝５を通過させた後、下方から摺動溝４に挿入する。摺動溝４に挿入された自由端３Ａは、摺動溝４内で上方に弾性変形して、摺動溝４の閉塞された上面に当接して定位置に保持される。
【００２９】
(3)  支持台２をプリント基板１に連結する。支持台２は、下方に突出するフック８がプリント基板１の連結孔６に挿入されて所定の位置に連結される。さらに、このとき、支持台２の中央に装着された接点バネ３のループ部３Ｂから下方に延長される端部を、プリント基板１の固定孔７に貫通させる。支持台２がプリント基板１に連結されると、摺動溝４は、下方開口部がプリント基板１で閉塞される。自由端３Ａは、摺動溝４から抜け出るのが阻止されると共に、摺動溝４に沿って上下に安定して移動する。
【００３０】
(4)  支持台２の両端に二つの接点バネ３を装着する。両端に装着される接点バネ３は、支持台２の両端部の筒体２Ａに、上方から挿入して装着される。これらの接点バネ３は、ループ部３Ｂを載台１４に載置して所定の位置に装着される。接点バネ３は、ループ部３Ｂから下方に延長される端部が、図３に示すように、フック８の内面に沿って、プリント基板１を貫通するように装着される。ただ、支持台２の両端に装着される二つの接点バネ３は、支持台２をプリント基板１に連結する前に装着することもできる。
【００３１】
(5)  プリント基板１を貫通する接点バネ３の端部をプリント基板１に半田付けして固定する。この状態で、３本の接点バネ３は、支持台２の定位置に装着されると共に、プリント基板１の電子部品に電気接続される。
【００３２】
【発明の効果】
本発明の電池用の接点構造は、接点バネの自由端を、簡単かつ容易に、しかも迅速に摺動溝に案内できる特長がある。それは、本発明の電池用の接点構造が、支持台を介してプリント基板に接点バネを装着しており、支持台が、接点バネの自由端を上下に移動できる貫通孔と、自由端を案内できる摺動溝とガイド溝を有すると共に、ガイド溝から摺動溝に接点バネの自由端を案内する状態で支持台をプリント基板に装着して、摺動溝の下方開口部をプリント基板で閉塞しているからである。摺動溝は、下方を開口して上方を閉塞しており、ガイド溝は、上下の両端を開口して、接点バネの自由端をガイド溝から摺動溝に案内できる独特の構造としている。この構造は、図４の矢印で示すように、接点バネ３の自由端３Ａを、下方に弾性変形させてガイド溝５を通過させた後、摺動溝４の下方開口部に挿入して、簡単に、しかも迅速に自由端３Ａを摺動溝４に案内できる。摺動溝は、上方が閉塞されており、さらに、自由端を摺動溝に案内した状態で、下方開口部がプリント基板で閉塞されるので、接点バネの自由端が摺動溝からでない構造となる。したがって、本発明の接点構造は、極めて簡単な構造で、接点バネの自由端を、簡単かつ容易に、しかも迅速に摺動溝に案内できると共に、自由端が摺動溝から抜け出るのを有効に阻止できる特長が実現できる
【００３３】
さらに、本発明の接点構造は、自由端を摺動溝に案内した状態で、接点バネの変形を極減して、接触不良を少なくできる特長がある。それは、本発明の接点構造が、接点バネの自由端を無理に変形させることなく、摺動溝に自由端を案内できるからである。本発明の接点構造は、支持台の貫通孔内で自由端を上下に弾性変形させて、上下の両端を開口しているガイド溝から、下方を開口している摺動溝に簡単に案内できる。しかも、この接点バネは、自由端がプリント基板から離れる方向に弾性変形するように支持台に装着されているので、自由端を無理なく弾性変形させて、ガイド溝から摺動溝に案内できる。このため、従来のように、自由端を弓なりに曲げることなく、摺動溝に挿入できる。したがって、本発明の接点構造は、接点バネの変形を極減して、接触不良を少なくできる特長が実現できる。
【００３４】
さらに、本発明の接点構造は、従来のように、自由端を弓なりに曲げることなく、摺動溝の下方開口部から案内できるので、摺動溝に挿入される部分の長さを長くできる特長がある。摺動溝に挿入される自由端の先端部分の長さを長くできる本発明の接点構造は、自由端が摺動溝から抜けるのを確実に阻止して長期間にわたって安全に使用できる特長を備える。
【図面の簡単な説明】
【図１】  従来の電池用の接点構造を示す斜視図
【図２】  本発明の実施例の電池用の接点構造を示す斜視図
【図３】  図２に示す接点構造を使用した充電器の一例を示す断面図
【図４】  ガイド溝から摺動溝に自由端を案内する状態を示す一部断面底面斜視図
【符号の説明】
１…プリント基板
２…支持台          ２Ａ…筒体          ２Ｂ…貫通孔
３…接点バネ        ３Ａ…自由端        ３Ｂ…ループ部
４…摺動溝
５…ガイド溝
６…連結孔
７…固定孔
８…フック
９…充電器
１０…ケース
１１…パック電池
１２…端子
１３…スリット
１４…載台
１５…装着部
１６…底板
【図１】
0003702100.tif 000002
【図２】
0003702100.tif 000003
【図３】
0003702100.tif 000004
【図４】
0003702100.tif 000005